(57)【要約】【課題】不正解錠に対する防御性能の向上と利便性の向上との両立を図ることのできる遊技機を提供する。【解決手段】パチンコ機１０は、外枠１１と、これに対し開閉可能に支持された内枠１２と、内枠１２の前面側において、当該内枠１２に対し開閉可能に支持された前面枠１４とを備えるとともに、外枠１１に対し内枠１２を施錠する施錠機構と、内枠１２に対し前面枠１４を施錠する施錠機構とを一体化した施錠装置を備えている。この施錠装置は、内枠１２と前面枠１４との間に形成される収容空間に配設されるとともに、内枠１２の背面側に鉤部等が突出しない構成となっている。また、内枠１２の背面側に形成されたピン孔を介して、シリンダ錠７００のリセットピンを押圧操作し、適合する鍵を変更可能に構成されている。【選択図】      図１
2010213811.tif 000002
【特許請求の範囲】
【請求項１】
支持体に対し開閉可能に支持された第１扉体と、
前記第１扉体の前面側にて当該第１扉体に対し開閉可能に支持された第２扉体と、
前記支持体に対し前記第１扉体を施錠しかつ前記第１扉体に対し前記第２扉体を施錠するための施錠装置とを備えた遊技機であって、
前記施錠装置は、
前記第２扉体の閉状態において当該第２扉体と前記第１扉体との間に形成される収容空間に配置されるとともに、
前記第１扉体に固定される基枠部材と、
前記基枠部材に固定されるとともに、前記第２扉体の閉状態において当該第２扉体の前面から所定の鍵により操作可能な錠部材と、
前記支持体に固定された第１鉤部と係合可能な第１鉤受部が前記基枠部材に対して相対変位可能に設けられ、前記第１扉体に形成された挿通孔を介して前記収容空間内へ進入した前記第１鉤部が前記第１鉤受部に係合して前記第１扉体の開放を規制する施錠状態から、前記第１鉤部が前記第１鉤受部から係合解除され前記第１扉体の開放を許容する解錠状態へ、少なくとも前記鍵による第１操作に応じた前記錠部材の動作に連動して切換わる第１施錠機構と、
前記第２扉体に固定された第２鉤部と係合可能な第２鉤受部が前記基枠部材に対して相対変位可能に設けられ、前記第２鉤部が前記第２鉤受部に係合して前記第２扉体の開放を規制する施錠状態から、前記第２鉤部が前記第２鉤受部から係合解除され前記第２扉体の開放を許容する解錠状態へ、少なくとも前記鍵による第２操作に応じた前記錠部材の動作に連動して切換わる第２施錠機構とを備え、
前記錠部材は、適合する鍵を変更するための操作部を備え、
前記施錠装置が前記第１扉体に固定された状態で、前記錠部材の操作部を操作可能としたことを特徴とする遊技機。
【発明の詳細な説明】
【技術分野】
【０００１】
本発明は、パチンコ機等の遊技機に関するものである。
【背景技術】
【０００２】
一般にパチンコ機等の遊技機では、メンテナンス等の観点から遊技機本体が固定枠に対し開閉可能に設けられている。そのため、店員以外の者が無断で遊技機本体を開放できないように、遊技機には施錠装置が設けられている。かかる施錠装置としては、専用の鍵を用いて操作されるシリンダ錠と、固定枠に設けられた複数の被係合部に対しそれぞれ係脱可能に設けられた複数の鉤部材と、鍵によるシリンダ錠の解錠操作に応じて複数の鉤部材を連動させる伝達機構とを備えたものが知られている。そして、施錠状態では各鉤部材がそれぞれ対応する被係合部に係合することで遊技機本体が固定枠に対し開放不能となる。他方、専用の鍵でシリンダ錠を解錠操作することにより伝達機構を介して各鉤部材が被係合部から同時に離脱し、遊技機本体が開放可能となる（例えば特許文献１参照）。
【０００３】
近年、遊技ホールでは、営業中に遊技機本体を不正に解錠し、本体裏側に設けられた制御機器を不正に操作したり交換する等して、多くの遊技媒体を獲得する不正行為が行われることもある。このような不正解錠は、通常、遊技機本体と固定枠との隙間から針金等の線材を差込み、当該線材を鉤部材、シリンダ錠のカム板、伝達機構などに引っ掛けて解錠方向に動かすことにより行われる。鉤部材等に対して不正な解錠操作が行われると、鉤部材が被係合部から離脱し、遊技機本体が開放可能となる。
【０００４】
また、遊技ホールにおいては、遊技機の導入時など様々な場面において、遊技ホールで使用する鍵に合わせたシリンダ錠のキーコード（鍵穴形状）の変更などが行われる。一般的なシリンダ錠では、背面側に設けられた所定のリセットピンを押圧した状態で新たに設定したい鍵を鍵穴に挿入し回動操作するなど、所定操作を行うことで、新たに設定したい鍵に合ったキーコードとすることができる。
【先行技術文献】
【特許文献】
【０００５】
【特許文献１】特開２００４−０２４３３７号公報
【発明の概要】
【発明が解決しようとする課題】
【０００６】
しかしながら、従来、施錠装置は、遊技機本体の背面側に設けられており、鉤部材、シリンダ錠のカム板、伝達機構など線材等を引っ掛けやすい各種機構が背面側に露出した状態となっている。そのため、遊技機本体と固定枠との隙間から針金等の線材を差込み、遊技機本体を不正に開放するといった不正行為が比較的容易に行われるおそれがあった。
【０００７】
このような不正解錠操作を防止するため、例えば遊技機本体の前面側から施錠装置を取付け、鉤部材等だけを背面側に突出させるといった構成を採用することも考えられるが、かかる構成では、シリンダ錠のリセットピンを背面側から操作してキーコードの変更を行うことができなくなる。つまり、シリンダ錠のキーコードの変更を行うために、遊技機本体から施錠装置ごと取外す等しなければならず、利便性が低下するおそれがある。
【０００８】
本発明は、上記例示した問題点などを解決するためになされたものであり、その目的は、不正解錠に対する防御性能の向上と、利便性の向上との両立を図ることのできる遊技機を提供することにある。
【課題を解決するための手段】
【０００９】
上記の目的を達成するため、本発明に係る遊技機は、
支持体に対し開閉可能に支持された第１扉体と、
前記第１扉体の前面側にて当該第１扉体に対し開閉可能に支持された第２扉体と、
前記支持体に対し前記第１扉体を施錠しかつ前記第１扉体に対し前記第２扉体を施錠するための施錠装置とを備えた遊技機であって、
前記施錠装置は、
前記第２扉体の閉状態において当該第２扉体と前記第１扉体との間に形成される収容空間に配置されるとともに、
前記第１扉体に固定される基枠部材と、
前記基枠部材に固定されるとともに、前記第２扉体の閉状態において当該第２扉体の前面から所定の鍵により操作可能な錠部材と、
前記支持体に固定された第１鉤部と係合可能な第１鉤受部が前記基枠部材に対して相対変位可能に設けられ、前記第１扉体に形成された挿通孔を介して前記収容空間内へ進入した前記第１鉤部が前記第１鉤受部に係合して前記第１扉体の開放を規制する施錠状態から、前記第１鉤部が前記第１鉤受部から係合解除され前記第１扉体の開放を許容する解錠状態へ、少なくとも前記鍵による第１操作に応じた前記錠部材の動作に連動して切換わる第１施錠機構と、
前記第２扉体に固定された第２鉤部と係合可能な第２鉤受部が前記基枠部材に対して相対変位可能に設けられ、前記第２鉤部が前記第２鉤受部に係合して前記第２扉体の開放を規制する施錠状態から、前記第２鉤部が前記第２鉤受部から係合解除され前記第２扉体の開放を許容する解錠状態へ、少なくとも前記鍵による第２操作に応じた前記錠部材の動作に連動して切換わる第２施錠機構とを備え、
前記錠部材は、適合する鍵を変更するための操作部を備え、
前記施錠装置が前記第１扉体に固定された状態で、前記錠部材の操作部を操作可能としたことをその要旨としている。
【発明の効果】
【００１０】
本発明の遊技機によれば、不正解錠に対する防御性能及び利便性の向上等を図るという優れた効果を奏する。
【図面の簡単な説明】
【００１１】
【図１】一実施形態におけるパチンコ機を示す正面図である。
【図２】パチンコ機の斜視図である。
【図３】内枠及び遊技盤の構成を示す正面図である。
【図４】内枠の構成を示す背面図である
【図５】パチンコ機の構成を示す背面図である。
【図６】電気的構成を示すブロック図である。
【図７】施錠装置、外枠、内枠及び前面枠などの各部材を示す分解斜視図である。
【図８】施錠装置、外枠、内枠及び前面枠などの各部材を組み付けた状態を示す斜視図である。
【図９】施錠装置、外枠、内枠及び前面枠などの各部材を組み付けた状態で、前面枠を開放した状態を示す斜視図である。
【図１０】施錠装置、外枠、内枠及び前面枠などの各部材を組み付けた状態で、前面枠及び内枠を開放した状態を示す斜視図である。
【図１１】施錠装置を正面左側から見た斜視図である。
【図１２】施錠装置を正面右側から見た斜視図である。
【図１３】施錠装置を背面左側から見た斜視図である。
【図１４】施錠装置を背面右側から見た斜視図である。
【図１５】施錠装置の正面図である。
【図１６】施錠装置の左側面図である。
【図１７】施錠装置の右側面図である。
【図１８】施錠装置の背面図である。
【図１９】施錠装置の分解図である。
【図２０】（ａ）は、第１摺動杆が上方へ摺動した状態における施錠装置の背面図であり、（ｂ）は、その状態における施錠装置の右側面図である。
【図２１】（ａ）は、第２摺動杆が下方へ摺動した状態における施錠装置の背面図であり、（ｂ）は、その状態における施錠装置の右側面図である。
【図２２】（ａ）は、第１摺動杆が上方へ摺動した状態における施錠装置を正面右側から見た斜視図であり、（ｂ）は、その状態における施錠装置を背面左側から見た斜視図である。
【図２３】（ａ）は、第２摺動杆が下方へ摺動した状態における施錠装置を正面右側から見た斜視図であり、（ｂ）は、その状態における施錠装置を背面左側から見た斜視図である。
【図２４】別の実施形態に係る内枠の構成を示す背面図である。
【図２５】別の実施形態に係る内枠の構成を示す背面図である。
【発明を実施するための形態】
【００１２】
以下、パチンコ遊技機（以下、単に「パチンコ機」という）の一実施形態を、図面に基づいて詳細に説明する。ここで、図１はパチンコ機１０の正面図であり、図２は斜視図である。
【００１３】
図１，２に示すように、パチンコ機１０は、当該パチンコ機１０の外郭を構成する支持体（固定枠）としての外枠１１を備えており、この外枠１１の一側部に第１扉体（遊技機本体）としての内枠１２が開閉可能に支持されている。
【００１４】
ここで、外枠１１について図７等を参照しつつ説明する。本実施形態における外枠１１は、例えば上下辺部１１ａ，１１ｂが木製の板材により構成され、左右側辺部１１ｃ，１１ｄがアルミ製の板材により構成され、これら各板材が小ネジ等の離脱可能な締結具により全体として矩形枠状に組み付けられている。
【００１５】
左側辺部１１ｃの上下端部には、それぞれ上ヒンジ８１及び下ヒンジ８２が設けられている。当該上ヒンジ８１及び下ヒンジ８２にて、内枠１２の上下部が回動可能に支持されており、これにより内枠１２が開閉可能となる。
【００１６】
また、右側辺部１１ｄには、その後端縁部から外枠１１の内方向に向け突出した遮蔽部材としての延出壁部８３が形成されている（図１０等参照）。延出壁部８３は、少なくとも後述する施錠装置６００に対応する上下区間全域を内枠１２の背面側から覆うように、上辺部１１ａから下辺部１１ｂにかけて形成されている（図５等参照）。
【００１７】
図１０に示すように、延出壁部８３の前方には、後述する施錠装置６００の内鉤受部６０９，６１０に対し係合する上下一対の内鉤部８４，８５が設けられている。内鉤部８４，８５が本実施形態における第１鉤部を構成する。内鉤部８４，８５は、外枠１１の右側辺部１１ｄの内側面に対し固定される取付部８４ａ，８５ａ（図１９等参照）と、当該取付部８４ａ，８５ａの前端縁部から外枠１１内方側へ延出した基部８４ｂ，８５ｂと、当該基部８４ｂ，８５ｂから前方へ延出した軸部８４ｃ，８５ｃと、当該軸部８４ｃ，８５ｃの前端側において前方へ先細りするように設けられた略三角形状の頭部８４ｄ，８５ｄと、基部８４ｂ，８５ｂの外枠１１内方側の端縁部から後方へ延出した折り返し部８４ｅ，８５ｅとから構成されている。頭部８４ｄ，８５ｄの上端部は、軸部８４ｃ，８５ｃより上方に突出しており、当該突出部分が係止爪として機能する。そして、施錠装置６００の内鉤受部６０９，６１０に対し、内鉤部８４，８５の頭部８４ｄ，８５ｄが係合されることで、内枠１２が施錠状態となる。基部８４ｂ，８５ｂが本実施形態における対向壁部を構成する。
【００１８】
本実施形態の内鉤部８４，８５は、図７等に示すように、１枚の金属板材を加工することにより、取付部８４ａ，８５ａ、基部８４ｂ，８５ｂ、軸部８４ｃ，８５ｃ、頭部８４ｄ，８５ｄ及び折り返し部８４ｅ，８５ｅの各部位が一体形成された構成となっている。より詳しくは、金属板材の周縁部を一続きに残すようにして、その中央部を略コ字状に切欠くことにより、軸部８４ｃ，８５ｃ及び頭部８４ｄ，８５ｄに相当する部分を形成する。そして、ネジ孔等を形成した後、プレス加工等により所定位置にて折り曲げることにより、内鉤部８４，８５が完成する。このように形成することで、より強度の高い内鉤部８４，８５を比較的低コストで製造することができる。
【００１９】
なお、本実施形態では、上記ヒンジ８１，８２や内鉤部８４，８５として、アルミニウム合金製の外枠１１本体よりも剛性の高いステンレス合金等の鋼鉄製のものが採用されている。
【００２０】
また、右側辺部１１ｄの内側面には、上下方向に沿ってリブ８９が形成されている。これにより、内枠１２の閉時においては、内枠１２と外枠１１との隙間から針金等の線材を差込むことは難しくなる。
【００２１】
さらに、外枠１１の下辺部１１ｂには、樹脂製の幕板飾り８６が取着されている。幕板飾り８６の上面奥部には、上方に突出するリブ８８が一体形成されている。これにより内枠１２との間に隙間が形成されにくくなっている。
【００２２】
内枠１２の開閉軸線は、上述したようにパチンコ機１０の正面からみて左側において上下に沿って設定されており、この開閉軸線を軸心として内枠１２が前方側に開放できるようになっている。内枠１２は、外形が矩形状をなす青色の樹脂ベース３８を主体に構成されており、当該樹脂ベース３８の中央部には略楕円形状の窓孔３９が形成されている。
【００２３】
また、内枠１２の前面側には、第２扉体（前面扉）としての前面枠１４が開閉可能に取付けられている。前面枠１４は、内枠１２と同様に、パチンコ機１０の正面から見て左側において上下に沿って設定された開閉軸線を軸心として前方側に開放できるようになっている。
【００２４】
前面枠１４は、内枠１２と同様に外形が矩形状をなす樹脂ベース３７を主体に構成されており（図７等参照）、閉鎖状態においては内枠１２の前面側ほぼ全域を覆う。前面枠１４（樹脂ベース３７）の中央部には略楕円形状の窓部１０１が形成されている。これにより、前面枠１４の窓部１０１及び内枠１２の窓孔３９を介して、内枠１２の後面に装着される遊技盤３０（遊技領域）を外部から視認可能となる。遊技盤３０の詳細な構成については後述する。
【００２５】
前面枠１４の前面側には、その下部中央において球受皿としての下皿１５が設けられており、排出口１６より排出された遊技球が下皿１５内に貯留可能になっている。また、下皿１５の手前側には、下皿１５内から遊技球を排出するための球抜きレバー２５が設けられている。
【００２６】
下皿１５の右方には、手前側に突出した遊技球発射ハンドル（以下、単にハンドルという）１８が設けられ、下皿１５の左方には、灰皿２６が設けられている。尚、ハンドル１８には、図示しないタッチセンサや、ハンドル１８の操作部の操作量を検出するための図示しない操作量検出手段が設けられている。
【００２７】
下皿１５の上方には上皿１９が設けられている。上皿１９は、遊技球を一旦貯留し、一列に整列させながら後述する遊技球発射装置（以下、単に発射装置という）７０の方へ案内する球受皿である。なお、上皿１９から溢れる遊技球は下皿１５へ案内されるようになっている。
【００２８】
上皿１９には球貸しボタン１２１と返却ボタン１２２とが設けられている。これにより、遊技場等において、パチンコ機１０の側方に配置されるカードユニット（球貸しユニット）に紙幣やカード等を投入した状態で球貸しボタン１２１が操作されると、その操作に応じて貸出球が上皿１９に供給される。一方、返却ボタン１２２は、カードユニットに挿入されたカード等の返却を求める際に操作される。但し、カードユニットを介さずに球貸し装置等から上皿１９に遊技球が直接貸し出されるパチンコ機、いわゆる現金機では球貸しボタン１２１及び返却ボタン１２２は不要である。
【００２９】
また、前面枠１４の前面にはその周囲に各種ランプ等の発光手段が設けられている。これら発光手段は、大当たり時や所定のリーチ時等における遊技状態の変化に応じて点灯、点滅のように発光態様が変更制御され遊技中の演出効果を高める役割を果たすものである。例えば、窓部１０１の周縁横側には、ＬＥＤ等の発光手段を内蔵した横電飾部１０２が設けられ、最上部には、同じくＬＥＤ等の発光手段を内蔵した中央電飾部１０３が設けられている。本パチンコ機１０では、中央電飾部１０３が大当たりランプとして機能し、大当たり時に点灯や点滅を行うことにより、大当たり中であることを報知する。さらに、中央電飾部１０３の左右側方には、所定のエラー時に点灯するエラー表示ランプ１０４が設けられている。また、各エラー表示ランプ１０４に隣接してスピーカＳＰ（図６参照）が設けられるとともに、当該スピーカＳＰの前側にスピーカカバー２４が取着されている。
【００３０】
前面枠１４の背面側にはガラスユニット１３７が取付けられている。ガラスユニット１３７は、従来の前後一対の矩形状の板ガラスが前後対を為して別々に取着されるものではなく、全体として丸形をなし、アッセンブリ化された上で取付けられている。
【００３１】
また、図７に示すように、前面枠１４の背面側には、後述する施錠装置６００の前鉤受部６２８，６２９，６３０に係合される前鉤部９１，９２，９３が設けられている。前鉤部９１，９２，９３が本実施形態における第２鉤部を構成する。より詳しくは、前面枠１４の右側辺部の背面側には、上下方向に沿って補強金具９０が取付けられており、この補強金具９０の背面側の上下方向３箇所に前鉤部９１，９２，９３が固定されている。
【００３２】
図１９に示すように、前鉤部９１，９２，９３は、補強金具９０の背面側に固定される取付部９１ａ，９２ａ，９３ａと、当該取付部９１ａ，９２ａ，９３ａから後方へ延出した軸部９１ｂ，９２ｂ，９３ｂと、当該軸部９１ｂ，９２ｂ，９３ｂの後端側において後方へ先細りするように設けられた略三角形状の頭部９１ｃ，９２ｃ，９３ｃとを備えている。頭部９１ｃ，９２ｃ，９３ｃの下端部は、軸部９１ｂ，９２ｂ，９３ｂより下方に突出しており、当該突出部分が係止爪として機能する。そして、施錠装置６００の前鉤受部６２８，６２９，６３０に対し、前鉤部９１，９２，９３の頭部９１ｃ，９２ｃ，９３ｃが係合されることで、前面枠１４が施錠状態となる。
【００３３】
次に、内枠１２（樹脂ベース３８）について図３，図４を参照して説明する。図３は、内枠及び遊技盤の構成を示す正面図であり、図４は、内枠の構成を示す背面図である。
【００３４】
上述した通り、内枠１２（樹脂ベース３８）には、窓孔３９の後側に遊技盤３０が装着されている。遊技盤３０は、その周縁部が内枠１２（樹脂ベース３８）の裏側に当接した状態で取着されている。従って、遊技盤３０の前面部の略中央部分が樹脂ベース３８の窓孔３９を通じて内枠１２の前面側に露出した状態となっている。
【００３５】
また、内枠１２（樹脂ベース３８）の下部、すなわち窓孔３９（遊技盤３０）の下方位置には、後側へ膨出した膨出部４０が形成されている。この膨出部４０の前面右側には、発射装置７０が取付けられている。本実施形態では、発射装置７０としてソレノイド式発射装置を採用している。また、膨出部４０には、後述する払出機構部３５２から上記下皿１５の排出口１６へ繋がる球通路７１が設けられている。また、発射装置７０の発射レール７０ａと後述するレール５０（外レール構成部５２）との間には所定間隔の隙間があり、この隙間より下方にファール球通路７２が形成されている。これにより、仮に、発射装置７０から発射された遊技球が後述する戻り球防止部材５３まで至らずファール球としてレール５０を逆戻りする場合には、そのファール球がファール球通路７２及び球通路７１を介して下皿１５に排出される。また、球通路７１の下側にはハーネスカバー７４が設けられている。これにより中継基板７５と発射装置７０とを接続するハーネス（図示略）をまとめている。
【００３６】
次に、遊技盤３０の構成について図３を参照して説明する。遊技盤３０には、一般入賞口３１、可変入賞装置３２、第１契機対応口（作動口）３３、第２契機対応口３４、可変表示装置ユニット３５等がルータ加工によって形成された貫通穴に配設され、遊技盤３０前面側から木ネジ等により取付けられている。周知の通り前記一般入賞口３１、可変入賞装置３２、第１契機対応口３３に遊技球が入球（入賞）すると、それぞれに対応して設けられた検出スイッチの出力により、上皿１９（または下皿１５）へ所定数の賞球が払い出される。その他に、遊技盤３０にはアウト口３６が設けられており、各種入賞部（一般入賞口３１、可変入賞装置３２、第１契機対応口３３）に入賞しなかった遊技球は、このアウト口３６を通って遊技領域外へと排出される。また、遊技盤３０には、遊技球の落下方向を適宜分散、調整等するために多数の釘が植設されているとともに、風車等の各種部材（役物）が配設されている。
【００３７】
可変表示装置ユニット３５には、第２契機対応口３４の通過をトリガとして変動表示する普通図柄表示装置４１と、第１契機対応口３３への入賞をトリガとして変動表示する特別表示装置４３と、特別表示装置４３による変動表示に合わせて変動表示する可変表示装置としての装飾図柄表示装置４２とが設けられている。
【００３８】
普通図柄表示装置４１は複数の発光手段（ＬＥＤ）を内蔵しており、遊技球が第２契機対応口３４を通過する毎に点灯表示態様が切換表示（変動表示）され、その変動表示が特定の点灯態様で数秒間停止した場合に第１契機対応口３３が所定時間だけ作動状態となる（開放される）よう構成されている。この普通図柄表示装置４１は、後述する主制御装置２６１によって直接的に表示内容が制御される。また、普通図柄表示装置４１の変動表示中に、新たに遊技球が第２契機対応口３４を通過した場合には、その分の普通図柄の変動表示は、その時点で行われている変動表示の終了後に行われる構成となっている。つまり、変動表示が待機（保留）されることとなる。この保留される変動表示の最大回数は、パチンコ機の機種毎に決められているが、本実施形態では４回まで保留され、その保留回数が保留ランプ４４にて点灯表示されるようになっている。
【００３９】
特別表示装置４３は、普通図柄表示装置４１の側方に設けられた複数の発光部により構成され、遊技球が第１契機対応口３３を通過する毎に点灯する発光部の組合せが切換えられる（変動表示される）。そして、変動表示が停止したときに点灯している発光部の組合わせにより、大当たりか否かが確定的に表示される。この特別表示装置４３についても、主制御装置２６１によって表示内容が直接的に制御される。また、特別表示装置４３の変動表示中に新たに遊技球が第１契機対応口３３に入賞した場合には、その分の変動表示は、その時点で行われている変動表示の終了後に行われる構成となっている。つまり、変動表示が待機（保留）されることとなる。この保留される変動表示の最大回数は、パチンコ機の機種毎に決められているが、本実施形態では４回まで保留され、その保留回数が保留ランプ４６にて点灯表示されるようになっている。また、大当たり状態中に新たに遊技球が第１契機対応口３３に入賞した場合、その分の変動表示についても保留される。
【００４０】
装飾図柄表示装置４２は液晶表示装置として構成されており、後述するサブ制御装置２６２によって表示内容が制御される。すなわち、装飾図柄表示装置４２においては、特別表示装置４３にて表示される結果に対応させるように、主制御装置２６１からのコマンドに基づき、サブ制御装置２６２によって補助的な表示内容が決定され、後述する表示制御装置４５によって表示が行われる。装飾図柄表示装置４２には、例えば、上、中及び下の３つの図柄列が表示される。各図柄列は複数の図柄によって構成されており、これら図柄が図柄列毎にスクロールされるようにして装飾図柄表示装置４２に変動表示され、その後、上図柄列→下図柄列→中図柄列の順に停止表示される。また、可変表示装置ユニット３５には、装飾図柄表示装置４２を囲むようにしてセンターフレーム４７が配設されている。
【００４１】
可変入賞装置３２は、通常は遊技球が入賞できない又は入賞し難い閉状態になっており、大当たり（特別遊技状態の発生）の際に、遊技球が入賞しやすい開状態とされる。具体的には、所定時間の経過又は所定個数の入賞を１ラウンドとして、可変入賞装置３２の大入賞口が所定回数（所定ラウンド数）繰り返し開放される。
【００４２】
また、遊技盤３０には、発射装置７０から発射された遊技球を遊技盤３０上部へ案内するレール５０が取付けられている。これにより、ハンドル１８の回動操作に伴い発射された遊技球はレール５０を通じて、遊技盤面上に形成された遊技領域内に案内される。レール５０は内レール構成部５１と外レール構成部５２とからなる。
【００４３】
内レール構成部５１の先端部分には戻り球防止部材５３が取着されている。これにより、一旦、レール５０から遊技盤３０の上部へと案内された遊技球が再度レール５０内に戻ってしまうといった事態が防止される。
【００４４】
また、本実施形態では、外レール構成部５２が遊技盤３０の右上部で途絶え、内レール構成部５１が遊技盤３０の右下部で途絶えている。このため、遊技領域は、レール５０及び樹脂ベース３８の窓孔３９の内周面により画定される。但し、内外レール構成部５１，５２の並行部分を除く。
【００４５】
次に、パチンコ機１０の背面構成について図４，図５を参照して説明する。パチンコ機１０の背面には、各種制御基板が上下左右に並べられるようにして、一部前後に重ねられるようにして配置されており、さらに、遊技球を供給する遊技球供給装置（払出機構）や樹脂製の保護カバー等が取付けられている。本実施形態では、各種制御基板を２つの取付台に分けて搭載して２つの制御基板ユニットを構成し、それら制御基板ユニットを個別に内枠１２又は遊技盤３０の裏面に装着するようにしている。この場合において、主基板とサブ制御基板とを一方の取付台に搭載してユニット化すると共に、払出制御基板、発射制御基板及び電源基板を他方の取付台に搭載してユニット化している。ここでは便宜上、前者のユニットを「第１制御基板ユニット２０１」と称し、後者のユニットを「第２制御基板ユニット２０２」と称することとする。また、払出機構及び保護カバーも１ユニットとして一体化されており、一般に樹脂部分を裏パックと称することもあるため、ここではそのユニットを「裏パックユニット２０３」と称する。各ユニット２０１〜２０３の詳細な構成については後述する。
【００４６】
なお、第１制御基板ユニット２０１、第２制御基板ユニット２０２及び裏パックユニット２０３は、ユニット単位で着脱できるように構成されるとともに、内枠１２又は遊技盤３０の裏面に対し個別に開閉できるように構成されている。図４，５に示すように、第２制御基板ユニット２０２の左側部（背面側右側部）には上下一対の支軸１９４が設けられており、この支軸１９４を内枠１２の左側部に設けられた上下一対の軸受け部１９５に上方から挿通させることで、第２制御基板ユニット２０２が内枠１２に対して開閉可能に支持される。同様に、裏パックユニット２０３の左側部には上下一対の支軸１９６が設けられており、この支軸１９６を内枠１２の左側部に設けられた上下一対の支持孔部１９７に上方から挿通させることで、裏パックユニット２０３が内枠１２に対して開閉可能に支持される。なお、第１制御基板ユニット２０１に関しても、遊技盤３０の背面側において開閉可能に支持されているが、ここでは便宜上、その開閉機構の図示を省略する。
【００４７】
遊技盤３０の背面構成について説明する。上述したように遊技盤３０の中央にはルータ加工によって形成された貫通穴に対して可変表示装置ユニット３５が配設されている。この可変表示装置ユニット３５に対し、センターフレーム４７を背後から覆う樹脂製のフレームカバー２１３が後方に突出して設けられている。さらに、フレームカバー２１３の後端に、液晶表示装置たる装飾図柄表示装置４２と表示制御装置４５とが前後に重ねられた状態で着脱可能に取り付けられている。フレームカバー２１３内には、センターフレーム４７に内蔵されたＬＥＤ等を駆動するＬＥＤ制御基板などが配設されている。
【００４８】
また、遊技盤３０の裏面には、可変表示装置ユニット３５を取り囲むようにして裏枠セット２１５が取付けられている。この裏枠セット２１５は、遊技盤３０の裏面に張り付くようにして設けられる薄型の樹脂成形品であって、各種入賞口に入賞した遊技球を回収するための球回収機構２１６を備えている。また、第２制御基板ユニット２０２には、球回収機構２１６の下方位置において排出通路部２１７が形成されており、該排出通路部２１７には排出球をパチンコ機１０外部へ排出する排出シュート２１８が形成されている（図５参照）。従って、一般入賞口３１等に入賞した遊技球は何れも裏枠セット２１５の球回収機構２１６を介して集合し、さらに排出通路部２１７の排出シュート２１８を介してパチンコ機１０外部に排出される。なお、アウト口３６も同様に排出通路部２１７に通じており、何れの入賞口にも入賞しなかった遊技球も排出シュート２１８を介してパチンコ機１０外部に排出される。
【００４９】
また、遊技盤３０の裏面には、各種入賞口などの遊技球の通過を検出する入賞感知機構（検出スイッチ）などが設けられている。入賞感知機構にて各々検出された検出結果は、後述する主基板（主制御装置２６１）に取り込まれ、該主基板よりその都度の入賞状況に応じた払出指令（遊技球の払出個数）が払出制御基板に送信される。そして、該払出制御基板の出力により所定数の遊技球の払出が実施される。本実施形態のパチンコ機１０では、各種入賞口毎に遊技球の入賞を電気的に感知して払出が直ちに行われる。
【００５０】
第１制御基板ユニット２０１は、主制御装置２６１と、サブ制御装置２６２とを具備している。主制御装置２６１は、主たる制御を司るＣＰＵ、遊技プログラムを記憶したＲＯＭ、遊技の進行に応じた必要なデータを記憶するＲＡＭ、各種機器との連絡をとるポート、各種抽選の際に用いられる乱数発生器、時間計数や同期を図る場合などに使用されるクロックパルス発生回路等を含む主基板を具備しており、この主基板が透明樹脂材料等よりなる基板ボックス２６３に収容されて構成されている。なお、基板ボックス２６３は、略直方体形状のボックスベースと該ボックスベースの開口部を覆うボックスカバーとを備えている。これらボックスベースとボックスカバーとは封印ユニットによって連結されており、基板ボックス２６３が開封された場合には、封印ユニットにおいて所定の痕跡が残るよう構成されている。これにより、基板ボックス２６３が不正に開封された旨を容易に発見することができる。
【００５１】
また、サブ制御装置２６２は、主制御装置２６１（主基板）からの指示に従い各種演出制御を司るＣＰＵや、各種プログラムを記憶したＲＯＭ、遊技の進行に応じた必要なデータを記憶するＲＡＭ、各種機器との連絡をとるポート、各種抽選の際に用いられる乱数発生器、時間計数や同期を図る場合などに使用されるクロックパルス発生回路等を含むサブ制御基板を具備しており、このサブ制御基板についても当該サブ制御基板に対応する基板ボックスに収容されて構成されている。
【００５２】
第２制御基板ユニット２０２は、払出制御装置３１１、発射制御装置３１２、電源装置３１３及びカードユニット接続基板３１４を具備している。払出制御装置３１１、発射制御装置３１２及び電源装置３１３は周知の通り制御の中枢をなすＣＰＵや、その他ＲＯＭ、ＲＡＭ、各種ポート等を含む制御基板を具備しており、払出制御装置３１１の払出制御基板により、賞品球や貸出球の払出が制御される。また、発射制御装置３１２の発射制御基板により、遊技者によるハンドル１８の操作に従い発射装置等の制御が行われ、電源装置３１３の電源基板により、各種制御装置等で要する所定の電源電圧が生成され出力される。
【００５３】
上記払出制御装置３１１、発射制御装置３１２及び電源装置３１３についても、それぞれに対応する基板ボックス３１５、３１６、３１７に収容されて構成されている。但し、発射制御装置３１２（基板ボックス３１６）は、電源装置３１３（基板ボックス３１７）の裏側に配置されている。また、払出制御装置３１１が収容される基板ボックス３１５には、前述した主制御装置２６１と同様に封印ユニットが設けられ、基板ボックス３１５の開封した痕跡が残るようになっている。
【００５４】
払出制御装置３１１には状態復帰スイッチ３２１が設けられている。例えば、払出モータ部の球詰まり等、払出エラーの発生時において状態復帰スイッチ３２１が押下されると、払出モータが正逆回転され、球詰まりの解消（正常状態への復帰）が図られる。
【００５５】
また、電源装置３１３にはＲＡＭ消去スイッチ３２３が設けられている。本パチンコ機１０はバックアップ機能を有しており、万一停電が発生した際でも停電時の状態を保持し、停電からの復帰（復電）の際には停電時の状態に復帰させることができる。従って、通常手順で（例えば遊技場の営業終了時に）電源遮断すると電源遮断前の状態が記憶保持されることから、電源投入時に初期状態に戻したい場合には、ＲＡＭ消去スイッチ３２３を押しながら電源を投入する。
【００５６】
次に、裏パックユニット２０３の構成を説明する。裏パックユニット２０３は、樹脂成形された裏パック３５１と遊技球の払出機構部３５２とを一体化したものである。
【００５７】
裏パック３５１は例えばＡＢＳ樹脂により一体成形されており、パチンコ機後方に突出し略直方体形状をなす保護カバー部３５４を有する。保護カバー部３５４は左右側面及び上面が閉鎖され且つ下面のみが開放された形状をなし、少なくとも可変表示装置ユニット３５を囲むのに十分な大きさを有する。但し、本実施形態では、前述のサブ制御装置２６２及び主制御装置２６１の一部も合わせて囲む構成となっている。
【００５８】
また、払出機構部３５２は、保護カバー部３５４を迂回するようにして配設されている。すなわち、保護カバー部３５４の上方には、上側に開口したタンク３５５が設けられており、このタンク３５５には遊技場の島設備から供給される遊技球が逐次補給される。タンク３５５の下方には、例えば横方向２列の球通路を有し下流側に向けて緩やかに傾斜するタンクレール３５６が連結され、さらにタンクレール３５６の下流側には縦向きにケースレール３５７が連結されている。払出装置３５８はケースレール３５７の最下流部に設けられ、払出モータ３５８ａ等の所定の電気的構成により必要個数の遊技球の払出が適宜行われる。そして、払出装置３５８より払い出された遊技球は上記上皿１９等に供給される。
【００５９】
また、払出機構部３５２には、払出制御装置３１１から払出装置３５８への払出指令の信号を中継する払出中継基板３８１が設置されると共に、外部より主電源を取り込む電源スイッチ基板３８２が設置されている。電源スイッチ基板３８２には、電圧変換器を介して例えば交流２４Ｖの主電源が供給され、電源スイッチ３８２ａの切替操作により電源ＯＮ又は電源ＯＦＦされる。
【００６０】
次に、パチンコ機１０の電気的構成について説明する。図６は、本パチンコ機１０の電気的構成を示すブロック図である。パチンコ機１０の主制御装置２６１（主基板）には、演算装置である１チップマイコンとしてのＣＰＵ５０１が搭載されている。ＣＰＵ５０１には、該ＣＰＵ５０１により実行される各種の制御プログラムや固定値データを記憶したＲＯＭ５０２と、そのＲＯＭ５０２内に記憶される制御プログラムの実行に際して各種のデータ等を一時的に記憶するメモリであるＲＡＭ５０３と、割込回路やタイマ回路、データ送受信回路などの各種回路等が内蔵されている。
【００６１】
ＲＡＭ５０３は、パチンコ機１０の電源のオフ後においても電源装置３１３からバックアップ電圧が供給されてデータが保持（バックアップ）できる構成となっており、ＲＡＭ５０３には、各種のデータ等を一時的に記憶するメモリやエリアの他に、バックアップエリア５０３ａが設けられている。
【００６２】
バックアップエリア５０３ａは、停電などの発生により電源が切断された場合において、電源の再入時にパチンコ機１０の状態を電源切断前の状態に復帰させるべく、電源切断時（停電発生時を含む。以下同様）のスタックポインタや、各レジスタ、Ｉ／Ｏ等の値を記憶しておくエリアである。バックアップエリア５０３ａへの書き込みは、ＮＭＩ端子（ノンマスカブル端子）への停止信号の入力により起動されるＮＭＩ割込み処理（このＮＭＩ割込みにより、電源断時の主制御装置２６１の状態がＲＡＭ５０３のバックアップエリア５０３ａに記憶される）によって停電の発生等による電源切断時に実行され、逆にバックアップエリア５０３ａに書き込まれた各値の復帰は、電源入時（停電解消による電源入を含む。以下同様）の復電処理において実行される。なお、ＣＰＵ５０１のＮＭＩ端子（ノンマスカブル割込端子）には、停電等の発生による電源断時に、後述する停電監視回路５４２から出力される停電信号ＳＫ１が入力されるように構成されており、停電の発生により、停電処理（ＮＭＩ割込み処理）が即座に実行される。
【００６３】
かかるＲＯＭ５０２及びＲＡＭ５０３を内蔵したＣＰＵ５０１には、アドレスバス及びデータバスで構成されるバスライン５０４を介して入出力ポート５０５が接続されている。入出力ポート５０５には、後述するＲＡＭ消去スイッチ回路５４３、払出制御装置３１１、サブ制御装置２６２、特別表示装置４３、普通図柄表示装置４１、その他図示しないスイッチ等が接続されている。この構成により、上述した特別表示装置４３および普通図柄表示装置４１は、主制御装置２６１により直接的に制御される。一方、装飾図柄表示装置４２は、サブ制御装置２６２を介して制御される。
【００６４】
サブ制御装置２６２（サブ制御基板）は、演算装置であるＣＰＵ５５１、該ＣＰＵ５５１により実行される各種の制御プログラムや固定値データを記憶したＲＯＭ５５２、該ＲＯＭ５５２内に記憶される制御プログラムの実行に際して各種のデータ等を一時的に記憶するメモリであるＲＡＭ５５３、入出力ポート５５４、バスライン５５５を備えるとともに、その他にも図示しない割込回路やタイマ回路、データ送受信回路などの各種回路等を備えている。ＲＡＭ５５３は、ＣＰＵ５５１による各種プログラムの実行時に使用されるワークデータやフラグを一時的に記憶するメモリである。
【００６５】
入出力ポート５５４には、バスライン５５５を介してＣＰＵ５５１、ＲＯＭ５５２、ＲＡＭ５５３が接続されるとともに、表示制御装置４５が接続されている。さらに、入出力ポート５５４には、スピーカＳＰ、各種電飾部及びランプ１０２〜１０４が接続されている。
【００６６】
サブ制御装置２６２のＣＰＵ５５１は、例えば主制御装置２６１から送信される指令信号（例えば変動パターンコマンド）に基づいて表示制御装置４５に表示制御を実行させ、装飾図柄表示装置４２に表示させる。なお、上記のように、本実施形態では、主制御装置２６１が制御する特別表示装置４３にて大当たりか否かを表示するようになっており、サブ制御装置２６２が制御する装飾図柄表示装置４２では、前記特別表示装置４３の表示に合わせた表示が行われる。
【００６７】
また、払出制御装置３１１は、払出モータ３５８ａにより賞球や貸し球の払出制御を行うものである。演算装置であるＣＰＵ５１１は、そのＣＰＵ５１１により実行される制御プログラムや固定値データ等を記憶したＲＯＭ５１２と、ワークメモリ等として使用されるＲＡＭ５１３とを備えている。
【００６８】
払出制御装置３１１のＲＡＭ５１３は、前述した主制御装置２６１のＲＡＭ５０３と同様に、パチンコ機１０の電源のオフ後においても電源装置３１３からバックアップ電圧が供給されてデータが保持（バックアップ）できる構成となっており、ＲＡＭ５１３には、各種のデータ等を一時的に記憶するメモリやエリアの他に、バックアップエリア５１３ａが設けられている。
【００６９】
バックアップエリア５１３ａは、停電などの発生により電源が切断された場合において、電源の再入時にパチンコ機１０の状態を電源切断前の状態に復帰させるべく、電源切断時のスタックポインタや、各レジスタ、Ｉ／Ｏ等の値を記憶しておくエリアである。このバックアップエリア５１３ａへの書き込みは、ＮＭＩ割込み処理によって電源切断時に実行され、逆にバックアップエリア５１３ａに書き込まれた各値の復帰は、電源入時の復電処理において実行される。
【００７０】
かかるＲＯＭ５１２及びＲＡＭ５１３を内蔵したＣＰＵ５１１には、アドレスバス及びデータバスで構成されるバスライン５１４を介して入出力ポート５１５が接続されている。入出力ポート５１５には、ＲＡＭ消去スイッチ回路５４３、主制御装置２６１、発射制御装置３１２、払出モータ３５８ａなどがそれぞれ接続されている。
【００７１】
発射制御装置３１２は、発射装置７０による遊技球の発射を許可又は禁止するものであり、発射装置７０は、所定条件が整っている場合に駆動が許可される。具体的には、払出制御装置３１１から発射許可信号が出力されていること、遊技者がハンドル１８をタッチしていることをセンサ信号により検出していること、発射を停止させる発射停止スイッチが操作されていないことを条件に、発射装置７０が駆動され、ハンドル１８の操作量に応じた強度で遊技球が発射される。
【００７２】
表示制御装置４５は、サブ制御装置２６２からの指示に従い、装飾図柄表示装置４２における装飾図柄の変動表示を実行するものである。この表示制御装置４５は、ＣＰＵ５２１と、プログラムＲＯＭ５２２と、ワークＲＡＭ５２３と、ビデオＲＡＭ５２４と、キャラクタＲＯＭ５２５と、画像コントローラ５２６と、入力ポート５２７と、出力ポート５２９と、バスライン５３０，５３１とを備えている。入力ポート５２７にはサブ制御装置２６２の入出力ポート５５４が接続されている。また、入力ポート５２７には、ＣＰＵ５２１、プログラムＲＯＭ５２２、ワークＲＡＭ５２３、画像コントローラ５２６が接続されている。また、画像コントローラ５２６にはバスライン５３１を介して出力ポート５２９が接続されており、その出力ポート５２９には液晶表示装置たる装飾図柄表示装置４２が接続されている。
【００７３】
表示制御装置４５のＣＰＵ５２１は、サブ制御装置２６２から送信される表示コマンドに基づいて装飾図柄表示装置４２の表示を制御する。プログラムＲＯＭ５２２は、そのＣＰＵ５２１により実行される各種の制御プログラムや固定値データを記憶するメモリであり、ワークＲＡＭ５２３は、ＣＰＵ５２１による各種プログラムの実行時に使用されるワークデータやフラグを一時的に記憶するメモリである。
【００７４】
ビデオＲＡＭ５２４は、装飾図柄表示装置４２に表示される表示データを記憶するメモリであり、このビデオＲＡＭ５２４の内容を書き替えることにより、装飾図柄表示装置４２の表示内容が変更される。キャラクタＲＯＭ５２５は、装飾図柄表示装置４２に表示される図柄などのキャラクタデータを記憶するメモリである。画像コントローラ５２６は、ＣＰＵ５２１、ビデオＲＡＭ５２４、出力ポート５２９のそれぞれのタイミングを調整してデータの読み書きに介在すると共に、ビデオＲＡＭ５２４に記憶される表示データを所定のタイミングで読み出して装飾図柄表示装置４２に表示させるものである。
【００７５】
また、電源装置３１３は、パチンコ機１０の各部に電力を供給する電源部５４１と、停電等による電源遮断を監視する停電監視回路５４２と、ＲＡＭ消去スイッチ３２３に接続されてなるＲＡＭ消去スイッチ回路５４３とを備えている。電源部５４１は、図示しない電源経路を通じて、主制御装置２６１や払出制御装置３１１等に対して各々に必要な動作電源を供給する。その概要としては、電源部５４１は、外部より供給される交流２４ボルト電源を取り込み、各種スイッチやモータ等を駆動する＋１２Ｖ電源、ロジック用の＋５Ｖ電源、ＲＡＭバックアップ用のバックアップ電源などを生成し、これら＋１２Ｖ電源、＋５Ｖ電源及びバックアップ電源を主制御装置２６１や払出制御装置３１１等に対して供給する。なお、発射制御装置３１２に対しては払出制御装置３１１を介して動作電源（＋１２Ｖ電源、＋５Ｖ電源等）が供給される。
【００７６】
停電監視回路５４２は、停電等の発生による電源断時に、主制御装置２６１のＣＰＵ５０１及び払出制御装置３１１のＣＰＵ５１１の各ＮＭＩ端子へ停電信号ＳＫ１を出力する回路である。停電監視回路５４２は、電源部５４１から出力される最大電圧である直流安定２４ボルトの電圧を監視し、この電圧が２２ボルト未満になった場合に停電（電源断）の発生と判断して、停電信号ＳＫ１を主制御装置２６１及び払出制御装置３１１へ出力する。この停電信号ＳＫ１の出力によって、主制御装置２６１及び払出制御装置３１１は、停電の発生を認識し、停電時処理（ＮＭＩ割込み処理）を実行する。
【００７７】
なお、電源部５４１は、直流安定２４ボルトの電圧が２２ボルト未満になった後においても、かかる停電時処理の実行に充分な時間の間、制御系の駆動電圧である５ボルトの出力を正常値に維持するように構成されている。よって、主制御装置２６１及び払出制御装置３１１は、停電時処理を正常に実行し完了することができる。
【００７８】
ＲＡＭ消去スイッチ回路５４３は、ＲＡＭ消去スイッチ３２３のスイッチ信号を取り込み、そのスイッチ３２３の状態に応じて主制御装置２６１のＲＡＭ５０３及び払出制御装置３１１のＲＡＭ５１３のバックアップデータをクリアする回路である。ＲＡＭ消去スイッチ３２３が押下された際、ＲＡＭ消去スイッチ回路５４３は、ＲＡＭ消去信号ＳＫ２を主制御装置２６１及び払出制御装置３１１に出力する。ＲＡＭ消去スイッチ３２３が押下された状態でパチンコ機１０の電源が投入されると（停電解消による電源入を含む）、主制御装置２６１及び払出制御装置３１１においてそれぞれのＲＡＭ５０３，５１３のデータがクリアされる。
【００７９】
次に、内枠１２の施錠機構及び前面枠１４の施錠機構について図７乃至図１９を参照して説明する。内枠１２の施錠機構が本実施形態における第１施錠機構に相当し、前面枠１４の施錠機構が第２施錠機構に相当する。本実施形態では、内枠１２は外枠１１に対し施錠され、前面枠１４は内枠１２に対し施錠される。これらの施錠機構は単一の施錠装置６００によって具現化されている。後述するように施錠装置６００は、シリンダ錠７００（図１等参照）を備えており、該シリンダ錠７００の鍵穴７０２に鍵を挿入し、一方に回動操作することで内枠１２を解錠でき、他方に回動操作することで前面枠１４を解錠できるようになっている。シリンダ錠７００は、前面枠１４（樹脂ベース３７）に形成された錠孔９７及び補強金具９０に形成された挿通孔９０ａなどを介して前面枠１４の前面側に露出している。
【００８０】
ここで、図７は、施錠装置６００及びこれに関連する外枠１１、内枠１２及び前面枠１４などの各部材を示す分解斜視図である。図８は、これらを組み付けた状態を示す斜視図であり、図９は、そこから前面枠１４を開放した状態を示す斜視図であり、図１０は、さらに内枠１２を開放した状態を示す斜視図である。但し、図７〜図１０では、便宜上、内枠１２及び前面枠１４に関しては、遊技盤３０やガラスユニット１３７など各種部材を取外した状態の樹脂ベース３７，３８のみを図示している。
【００８１】
また、図１１は施錠装置６００を正面左側から見た斜視図であり、図１２は施錠装置６００を正面右側から見た斜視図であり、図１３は施錠装置６００を背面左側から見た斜視図であり、図１４は施錠装置６００を背面右側から見た斜視図である。また、図１５は施錠装置６００の正面図であり、図１６は左側面図であり、図１７は右側面図であり、図１８は背面図である。なお、説明の便宜上、図１１〜図１８では、施錠装置６００に関連する外枠１１の内鉤部８４，８５や、前面枠１４の前鉤部９１，９２，９３等も併せて、組付けた状態で図示している。
【００８２】
また、図１９は、施錠装置６００等の分解図である。但し、図１９では、便宜上、見やすいように各構成部品の向きを部品毎に変化させるとともに、内鉤部８４，８５や前鉤部９１，９２，９３等も併せて図示している。
【００８３】
施錠装置６００は、内枠１２の右側辺部の前面側に取付けられている。施錠装置６００の外郭を構成する基枠部材としての縦長の基枠６０１は、内枠１２に固定される取付部としての取付板６０２と、当該取付板６０２の内枠１２内方側（窓孔３９側）の端縁から後方に突出した支持部としての支持板６０３と、当該支持板６０３の後端縁部から内枠１２外方側に突出したフランジ部６０４（後述する膨出部６０３ａの形成区間を除く）とを備えている。取付板６０２に比べややフランジ部６０４の突出長が短いものの、基枠６０１は、取付板６０２、支持板６０３及びフランジ部６０４が一体となって横断面略コ字状をなしている。なお、基枠６０１や後述する第１摺動杆６０７等の各摺動杆など、施錠装置６００を構成する各部材は、金属平板をプレス成形等することにより形成されている。
【００８４】
これに対し、内枠１２の前面側には、図１０等に示すように、施錠装置６００を取付けるための収容部（溝部）としての取付溝部９０１が右側辺部に沿って形成されている。これにより、前面枠１４の閉状態においては、当該前面枠１４と内枠１２との間に施錠装置６００を収容するための収容空間が形成されることとなる。
【００８５】
取付溝部９０１には、複数のボス（図示略）が突設されている。これに対応して、取付板６０２には、複数のネジ孔６０２ｄが穿設されている。これにより、施錠装置６００は、取付溝部９０１に嵌め込まれた状態で、内枠１２の前面側からネジ（図示略）によりボスに固定される。
【００８６】
また、図３、図９等に示すように、施錠装置６００が取付溝部９０１に嵌め込まれた状態では、取付板６０２の右端縁部及び支持板６０３がそれぞれ取付溝部９０１の側壁面に略当接状態となる。
【００８７】
また、図４に示すように、取付溝部９０１の奥壁部９０１ａには、外枠１１の内鉤部８４，８５に対応して、内枠１２の背面側へ貫通する挿通孔９０８，９０９が形成されている。これにより、内鉤部８４，８５は当該挿通孔９０８，９０９を介して、内枠１２の前面側へ突出可能となる。また、挿通孔９０８，９０９の周囲にはリブ９０８ａ，９０９ａが後方へ突出形成されている。取付溝部９０１の奥壁部９０１ａが本実施形態における収容部の背壁部に相当する。
【００８８】
施錠装置６００の説明に戻り、取付板６０２では、シリンダ錠７００の配置位置に対応する所定の上下区間が他部位より左右方向に幅広の幅広部６０２ａとなっており、支持板６０３では、前記幅広部６０２ａに対応する上下区間が内枠１２内方側へ膨出した膨出部６０３ａとなっている。これは、遊技領域や各種制御基板等の設置スペースをより広く確保するために、施錠装置６００全体の横幅を極力狭くしつつ、シリンダ錠７００の配設位置においては、その設置スペースを確保するためである。勿論、取付溝部９０１の形状も幅広部６０２ａ等に併せた形状となっている。
【００８９】
ここで、まず内枠１２の施錠機構を主として構成する第１摺動杆６０７について説明する。第１摺動杆６０７は、長尺状をなし、支持板６０３の内枠１２外方側に沿って上下方向に摺動可能なように配設されている。第１摺動杆６０７が本実施形態における第１摺動部材を構成する。
【００９０】
支持板６０３の膨出部６０３ａに対応する第１摺動杆６０７の上下方向所定区間には、内枠１２内方側へ膨出した膨出部６０７ａが形成されている。但し、第１摺動杆６０７の膨出部６０７ａの形成区間は、支持板６０３の膨出部６０３ａの形成区間よりも短く設定されており、第１摺動杆６０７の摺動の妨げとならないようになっている。
【００９１】
第１摺動杆６０７の後端縁部には、内枠１２施錠用の上下一対の内鉤受部６０９，６１０が形成されている。内鉤受部６０９，６１０は、第１摺動杆６０７の後端縁部から内枠１２外方側へ突出形成された略平板状をなす。内鉤受部６０９，６１０が本実施形態における第１鉤受部を構成する。
【００９２】
内鉤受部６０９，６１０に対応して、基枠６０１のフランジ部６０４には、その先端部よりさらに内枠１２外方側へ延出した延出部６１３，６１４が形成されている。延出部６１３，６１４は、内鉤受部６０９，６１０と重畳するように形成されており、内鉤受部６０９，６１０と常時略当接状態で内鉤受部６０９，６１０を支持している。
【００９３】
延出部６１３，６１４には、内鉤受部６０９，６１０に対応して、略矩形状の挿入孔６１３ａ，６１４ａが形成されている。そして、通常時には、内鉤受部６０９，６１０により、挿入孔６１３ａ，６１４ａの上部が塞がされた状態となる。
【００９４】
次に前面枠１４の施錠機構を主として構成する第２摺動杆６２７について説明する。第２摺動杆６２７は、長尺状をなし、上下方向に摺動可能なように第１摺動杆６０７の内枠１２外方側に重畳して配設されている。第２摺動杆６２７が本実施形態における第２摺動部材を構成する。
【００９５】
第１摺動杆６０７の膨出部６０７ａに対応する第２摺動杆６２７の上下方向所定区間には、内枠１２内方側へ膨出した膨出部６２７ａが形成されている。但し、第２摺動杆６２７の膨出部６２７ａの形成区間は、第１摺動杆６０７の膨出部６０７ａの形成区間よりも短く設定されており、第２摺動杆６２７の摺動の妨げとならないようになっている。
【００９６】
第２摺動杆６２７の前端縁部には、上部、中部及び下部の３箇所に、前面枠１４施錠用の前鉤受部６２８，６２９，６３０が形成されている。前鉤受部６２８，６２９，６３０が本実施形態における第２鉤受部を構成する。
【００９７】
前鉤受部６２８，６２９，６３０は、第２摺動杆６２７の前端縁部から内枠１２外方側へ突出形成された略平板状をなす。
【００９８】
前鉤受部６２８，６２９，６３０には、それぞれ略矩形状の係合孔６２８ａ，６２９ａ，６３０ａが形成されている。また、取付板６０２には、前鉤受部６２８，６２９，６３０（係合孔６２８ａ，６２９ａ，６３０ａ）に対応して、上下方向３箇所に矩形状の挿通孔６３１，６３２，６３３が形成されている。そして、通常時には、係合孔６２８ａ，６２９ａ，６３０ａが取付板６０２の挿通孔６３１，６３２，６３３の上部に重なるように位置するとともに、前鉤受部６２８，６２９，６３０により挿通孔６３１，６３２，６３３の下部が塞がされた状態となる。
【００９９】
前鉤受部６２８，６２９，６３０のうち上側の前鉤受部６２８は、上側の内鉤受部６０９のやや上方位置に設けられている。一方、下側の前鉤受部６３０は、下側の内鉤受部６１０のやや上方位置に設けられている。
【０１００】
さて、第１摺動杆６０７には、上下方向に３つのガイド孔６１５，６１６，６１７が形成されている。このうち、上下のガイド孔６１５，６１７は、内鉤受部６０９，６１０の高さ位置に対応して設けられている。ガイド孔６１５，６１６，６１７は、上下方向に長い長円状をなす。
【０１０１】
これに対応して、第２摺動杆６２７には、上下方向に３つのガイド孔６３５，６３６，６３７が形成されている。ガイド孔６３５，６３６，６３７は、前鉤受部６２８，６２９，６３０の高さ位置に対応して設けられている。ガイド孔６３５，６３６，６３７は、上下方向に長い長円状をなす。
【０１０２】
そして、第１摺動杆６０７のガイド孔６１５，６１６，６１７と第２摺動杆６２７のガイド孔６３５，６３６，６３７とをそれぞれ連通させた状態で、これらに対し内枠１２外方側からガイドピン６１８，６１９，６２０が挿通され、当該ガイドピン６１８，６１９，６２０が支持板６０３に固定されている。
【０１０３】
上記構成により、第１摺動杆６０７及び第２摺動杆６２７は、取付板６０２とフランジ部６０４により前後方向への動きを規制され、かつ、ガイドピン６１８，６１９，６２０により左右方向への動きを規制されつつ、上下方向へ摺動可能となる。
【０１０４】
さて、通常時、第１摺動杆６０７及び第２摺動杆６２７は、付勢手段としてのコイルばねＣ１により、それぞれ下方又は上方へ付勢されている。より詳しくは、第１摺動杆６０７には、フック部６２１が設けられている。また、第２摺動杆６２７にはフック部６４１が設けられている。さらに、第２摺動杆６２７には、第１摺動杆６０７のフック部６２１に対応して、フック部６４１の上方位置において上下方向に長い略矩形状の挿通孔６４２が形成されている。
【０１０５】
そして、第１摺動杆６０７のフック部６２１にコイルばねＣ１の一端が掛けられるとともに、挿通孔６４２を介して、他端が第２摺動杆６２７のフック部６４１に掛けられている。
【０１０６】
上記コイルばねＣ１の引張力によって、通常時には、第１摺動杆６０７は、ガイド孔６１５，６１６，６１７の上縁部がガイドピン６１８，６１９，６２０に付勢され、下方への動作が抑えられた状態で保持されている。一方、第２摺動杆６２７は、ガイド孔６３５，６３６，６３７の下縁部がガイドピン６１８，６１９，６２０に付勢され、上方への動作が抑えられた状態で保持されている。そして、後述するシリンダ錠７００が操作された場合には、コイルばねＣ１の引張力に抗して、第１摺動杆６０７は上方へ、又は第２摺動杆６２７は下方へ摺動変位する。
【０１０７】
なお、第１摺動杆６０７の摺動範囲のうち、ガイド孔６１５，６１６，６１７の上縁部がガイドピン６１８，６１９，６２０に当接する位置が、内鉤部８４，８５が内鉤受部６０９，６１０に係合される位置となる。つまり、この位置が第１摺動杆６０７（内鉤受部６０９，６１０）の施錠位置（基準位置）に相当する。従って、第１摺動杆６０７がこの位置にある状態が、内枠１２の施錠機構の施錠状態に相当する。
【０１０８】
これに対し、ガイド孔６１５，６１６，６１７の下縁部がガイドピン６１８，６１９，６２０に当接する位置が、内鉤部８４，８５が内鉤受部６０９，６１０から離脱（係合解除）した位置となる。つまり、この位置が第１摺動杆６０７の解錠位置に相当する。従って、第１摺動杆６０７がこの位置にある状態が、内枠１２の施錠機構の解錠状態に相当する。
【０１０９】
一方、第２摺動杆６２７の摺動範囲のうち、ガイド孔６３５，６３６，６３７の下縁部がガイドピン６１８，６１９，６２０に当接する位置が、前鉤部９１，９２，９３が前鉤受部６２８，６２９，６３０に係合される位置となる。つまり、この位置が第２摺動杆６２７（前鉤受部６２８，６２９，６３０）の施錠位置（基準位置）に相当する。従って、第２摺動杆６２７がこの位置にある状態が、前面枠１４の施錠機構の施錠状態に相当する。
【０１１０】
これに対し、ガイド孔６３５，６３６，６３７の上縁部がガイドピン６１８，６１９，６２０に当接する位置が、前鉤部９１，９２，９３が前鉤受部６２８，６２９，６３０から離脱（係合解除）した位置となる。つまり、この位置が第２摺動杆６２７の解錠位置に相当する。従って、第２摺動杆６２７がこの位置にある状態が、前面枠１４の施錠機構の解錠状態に相当する。
【０１１１】
さて、取付板６０２の幅広部６０２ａには、錠部材としてのシリンダ錠７００が取付けられている。
【０１１２】
シリンダ錠７００は、取付板６０２の背面に固定される固定部７００ａと、当該固定部７００ａから前方に向けて取付板６０２を貫通して延び、その内部に錠軸（図示略）を有しかつその前面側に鍵穴７０２を有する錠本体７００ｂと、固定部７００ａの背面側にて前記錠軸に連結され、鍵穴７０２に挿入された鍵の回動動作を第１摺動杆６０７又は第２摺動杆６２７に伝達する伝達部材としてのカム板７２０とを備えている。
【０１１３】
また、固定部７００ａの背面側には、後方に突出し、鍵穴７０２の形状（キーコード）を変更する際に押圧操作される操作部としてのリセットピン７０３が設けられている。これに対応して、内枠１２の背面側（取付溝部９０１の奥壁部９０１ａ）には、図４に示すように、操作用孔部としてのピン孔９０１ｂが形成されている。
【０１１４】
ここで、キーコードの変更手順の一例について説明する。まず内枠１２を開放させた状態で、ピン孔９０１ｂを介して所定の治具を挿入し、リセットピン７０３を押圧する。この状態で鍵穴７０２に現状の鍵を挿入して回動操作した後、該鍵を引き抜く。そして、リセットピン７０３を押圧したまま、新たに設定したい鍵を鍵穴７０２に挿入し、前記現状の鍵とは逆向きに回動操作した後、リセットピン７０３の押圧状態を解除してから鍵を引き抜く。以上のような操作を行うことで、新たに設定したい鍵に合ったキーコードとすることができる。これにより、遊技場単位で鍵を統一できるとともに、不正防止のため、定期的に鍵を変更することができる。
【０１１５】
カム板７２０は、上係合爪７２０ａ及び下係合爪７２０ｂを備えている。これらの係合爪７２０ａ，７２０ｂは、カム板７２０の回動方向に所定間隔を置いて形成されている。
【０１１６】
カム板７２０に対応して、第１摺動杆６０７の膨出部６０７ａには、係合爪７２０ａ，７２０ｂが出入可能な上下一対の上係合孔７２５及び下係合孔７２６が形成されている。同様に、第２摺動杆６２７の膨出部６２７ａには、係合爪７２０ａ，７２０ｂが出入可能な上下一対の上係合孔７２７及び下係合孔７２８が形成されている。また、支持板６０３には、係合爪７２０ａ，７２０ｂの動作を妨げないように透孔７３０が形成されている。
【０１１７】
各係合孔７２５〜７２８は、上下方向に長い略矩形の長孔状をなす。そして、第１摺動杆６０７及び第２摺動杆６２７の通常時の重畳状態にあっては、少なくとも上係合孔７２５，７２７同士、及び、下係合孔７２６，７２８同士が部分的に重なり合い、そこに係合爪７２０ａ，７２０ｂがそれぞれ挿し込まれた状態となる。
【０１１８】
より詳しくは、図１１，１３に示すように、シリンダ錠７００の鍵穴７０２に鍵が挿し込まれていない状態で、カム板７２０が基準位置にある場合には、上係合爪７２０ａの先端が、第１摺動杆６０７及び第２摺動杆６２７の上係合孔７２５，７２７に挿通状態となるとともに、下係合爪７２０ｂの先端が、第１摺動杆６０７及び第２摺動杆６２７の下係合孔７２６，７２８に挿通状態となる。
【０１１９】
次に、施錠装置６００の作用について詳しく説明する。まず内枠１２の施錠及び解錠について詳しく説明する。内枠１２の施錠状態においては、第１摺動杆６０７が基準位置をとることにより、内鉤受部６０９，６１０に、外枠１１の内鉤部８４，８５が係合され、内枠１２の開放が規制されている。
【０１２０】
そして、内枠１２を解錠する際には、シリンダ錠７００の鍵穴７０２に鍵を挿入し、パチンコ機１０の正面側（図１参照）から見て時計回り方向に回動させる。この操作が本実施形態における第１操作に相当する。これにより、カム板７２０が同方向に回動して、下係合爪７２０ｂが第１摺動杆６０７の下係合孔７２６の上縁部に接触する。
【０１２１】
その後、さらにカム板７２０を回動させていくに従って、図２０（ａ），（ｂ）及び図２２（ａ），（ｂ）に示すように、下係合爪７２０ｂがコイルばねＣ１の引張力に抗して第１摺動杆６０７を上方へ押し上げていく。同時に、上係合爪７２０ａは第１摺動杆６０７及び第２摺動杆６２７に作用を及ぼすことなく、両上係合孔７２５，７２７から離脱する。この際、下係合爪７２０ｂが挿通された第２摺動杆６２７の下係合孔７２８の上部には、下係合爪７２０ｂが上方へ変位するスペースが確保されているため、第１摺動杆６０７を押し上げていく過程において、下係合爪７２０ｂが第２摺動杆６２７に当接せず、その動作が妨げられないようになっている。
【０１２２】
第１摺動杆６０７が上方へ摺動すると、内鉤受部６０９，６１０と、内鉤部８４，８５との係合が解除され、内枠１２の開放が許容される。また、内枠１２が開放された時点で、鍵を操作する手の力を緩めると、コイルばねＣ１の引張力により、第１摺動杆６０７は下方へ引き下げられ、基準位置に復帰する。これに伴い、カム板７２０及び錠軸も基準位置に復帰する。
【０１２３】
一方、開状態にある内枠１２を施錠する際には、鍵を用いずに、内枠１２を閉じていき、外枠１１の内鉤部８４，８５の頭部８４ｄ，８５ｄの傾斜部位が内鉤受部６０９，６１０の下縁部にぶつかると、第１摺動杆６０７に上方向への外力が加わり、第１摺動杆６０７がコイルばねＣ１の引張力に抗して上方へ摺動する。そして、内鉤部８４，８５の頭部８４ｄ，８５ｄが内鉤受部６０９，６１０の下縁部を乗り越えると、第１摺動杆６０７がコイルばねＣ１の引張力により元の位置に戻る。これにより、内鉤受部６０９，６１０に対し内鉤部８４，８５が係合され、内枠１２が施錠された状態となる。
【０１２４】
次に前面枠１４の施錠及び解錠について詳しく説明する。前面枠１４の施錠状態においては、第２摺動杆６２７が基準位置をとることにより、前鉤受部６２８，６２９，６３０に、前面枠１４の前鉤部９１，９２，９３が係合され、前面枠１４の開放が規制される。
【０１２５】
そして、前面枠１４を解錠する際には、シリンダ錠７００の鍵穴７０２に鍵を挿入し、パチンコ機１０の正面側から見て反時計回り方向に回動させる。この操作が本実施形態における第２操作に相当する。これにより、カム板７２０が同方向に回動して、上係合爪７２０ａが第２摺動杆６２７の上係合孔７２７の下縁部に接触する。
【０１２６】
その後、さらにカム板７２０を回動させていくに従って、図２１（ａ），（ｂ）及び図２３（ａ），（ｂ）に示すように、上係合爪７２０ａがコイルばねＣ１の引張力に抗して第２摺動杆６２７を下方へ押し下げていく。同時に、下係合爪７２０ｂは第２摺動杆６２７及び第１摺動杆６０７に作用を及ぼすことなく、両下係合孔７２６，７２８から離脱する。この際、上係合爪７２０ａが挿通された第１摺動杆６０７の上係合孔７２５の下部には、上係合爪７２０ａが下方へ変位するスペースが確保されているため、第２摺動杆６２７を押し下げていく過程において、上係合爪７２０ａが第１摺動杆６０７に当接せず、その動作が妨げられないようになっている。
【０１２７】
第２摺動杆６２７が下方へ摺動すると、すべての前鉤受部６２８，６２９，６３０と、前鉤部９１，９２，９３との係合が解除され、前面枠１４の開放が許容される。また、前面枠１４が開放された時点で、鍵を操作する手の力を緩めると、コイルばねＣ１の引張力により、第２摺動杆６２７は上方へ引き上げられ、基準位置に復帰する。これに伴い、カム板７２０及び錠軸も基準位置に復帰する。
【０１２８】
一方、開状態にある前面枠１４を施錠する際には、鍵を用いずに、前面枠１４を閉じていき、前面枠１４の前鉤部９１，９２，９３の頭部９１ｃ，９２ｃ，９３ｃの傾斜部位が前鉤受部６２８，６２９，６３０の係合孔６２８ａ，６２９ａ，６３０ａの下縁部にぶつかると、第２摺動杆６２７に下方向への外力が加わり、第２摺動杆６２７がコイルばねＣ１の引張力に抗して下方へ摺動する。そして、前鉤部９１，９２，９３の頭部９１ｃ，９２ｃ，９３ｃが前鉤受部６２８，６２９，６３０の係合孔６２８ａ，６２９ａ，６３０ａの下縁部を乗り越えると、第２摺動杆６２７がコイルばねＣ１の引張力により元の位置に戻る。これにより、前鉤受部６２８，６２９，６３０に対し前鉤部９１，９２，９３が係合され、前面枠１４が施錠された状態となる。
【０１２９】
以上詳述したように、本実施形態では、施錠装置６００が、内枠１２と前面枠１４との間に形成される収容空間に配置されるとともに、内枠１２と基枠６０１との間に形成される内部空間に、内枠１２の施錠機構及び前面枠１４の施錠機構が配置される構成となっている。加えて、内枠１２の背面側や基枠６０１の前面側に鉤部等が突出しない構成となっている。このため、仮に内枠１２や前面枠１４を不正に解錠する不正行為を行おうとした場合でも、線材を引っ掛けることのできる鉤部等の突出した部位がなく、前記不正行為を行うことは極めて困難となる。結果として、線材等を用いた不正解錠に対する防御性能を高めることができる。
【０１３０】
本実施形態では、施錠装置６００に対応する上下区間全域を内枠１２の背面側から覆うように延出壁部８３が形成されている。また、その前方に設けられた内鉤部８４，８５は、内枠１２の挿通孔９０８，９０９に相対向するように設けられた基部８４ｂ，８５ｂを備えるとともに、当該基部８４ｂ，８５ｂの外枠１１内方側の端縁部から後方へ延出した折り返し部８４ｅ，８５ｅを備えている。さらに、内枠１２の挿通孔９０８，９０９の周囲にはリブ９０８ａ，９０９ａが後方へ突出形成されている。これにより、内枠１２の背面側から挿通孔９０８，９０９を介して線材等を進入させ、当該線材等により内枠１２の施錠機構を操作するといった不正行為を行うことがさらに困難となり、さらなる防御性能の向上を図ることができる。
【０１３１】
加えて、上記のように防御性能を高めることにより、施錠装置６００自身の構成を比較的簡素なものにすることができる。
【０１３２】
また、本実施形態では、内枠１２の背面側（取付溝部９０１の奥壁部９０１ａ）に形成されたピン孔９０１ｂを介して、シリンダ錠７００のリセットピン７０３を押圧操作して鍵穴７０２の形状（キーコード）を変更可能に構成されている。これにより、リセットピン７０３を操作するために、わざわざ施錠装置６００を内枠１２から取外すといった手間をかけずに済む。結果として、不正解錠に対する防御性能の向上を図りつつも、利便性の向上をも両立して図ることができる。
【０１３３】
また、外枠１１には、施錠装置６００（取付溝部９０１の奥壁部９０１ａ）を内枠１２の背面側から覆うように、延出壁部８３が形成されている。これにより、内鉤部８４，８５及び内鉤受部６０９，６１０に対するさらなる防御性能の向上を図るとともに、奥壁部９０１ａにピン孔９０１ｂが常時開口した状態のままであっても、当該ピン孔９０１ｂを介して線材等を進入させ、施錠装置６００に対して不正行為を行うことは困難となる。
【０１３４】
なお、上述した実施形態の記載内容に限定されず、例えば次のように実施してもよい。
【０１３５】
（ａ）施錠装置６００の構成は上記実施形態に限定されるものではない。例えば、上記実施形態では、内鉤受部６０９，６１０等の各鉤受部が第１摺動杆６０７等に一体形成されているが、これに限らず、例えば、内鉤受部６０９，６１０及び前鉤受部６２８，６２９，６３０に相当する部材をそれぞれ個別に基枠６０１に対し相対変位可能に組付けるとともに、これらを１つの摺動杆によって動かす構成としてもよい。
【０１３６】
（ｂ）内鉤受部６０９，６１０や前鉤受部６２８，６２９，６３０の構成は上記実施形態に限定されるものではない。例えば、上記実施形態では、内鉤受部６０９，６１０等が上下方向に摺動変位する構成となっているが、これに限らず、例えば、内鉤受部６０９，６１０等に相当する部材が施錠位置と解錠位置とに回動変位する構成を採用してもよい。
【０１３７】
また、内鉤受部６０９，６１０等の各鉤受部及びこれに対応する内鉤部８４，８５等の各鉤部の数は、上記実施形態の数に限定されるものではなく、例えば１つであってもよいし、内枠１２の施錠機構に対応して３つ以上備えた構成としてもよい。
【０１３８】
（ｃ）シリンダ錠７００の構成は上記実施形態に限定されるものではない。例えば、上記実施形態では、固定部７００ａの背面側にキーコードを変更するためのリセットピン７０３が設けられているが、リセットピン７０３が固定部７００ａの前面側に設けられ、内枠１２の前面側からキーコードの変更操作を行うことができる構成としてもよい。また、固定部７００ａの背面側にリセットピン７０３が設けられているが、これを内枠１２の前面側から操作可能とする機構を備えた構成としてもよい。これらの場合、内枠１２の背面側のピン孔９０１ｂは省略することができる。また、このような構成とすれば、内枠１２を外枠１１から開放した不安定な状態でキーコードの変更操作を行う必要がなく、内枠１２を外枠１１に閉鎖し安定した状態のまま作業を行うことができるため、作業性の向上を図ることができる。
【０１３９】
また、上記実施形態では、取付溝部９０１の奥壁部９０１ａに形成されたピン孔９０１ｂが常時開放した状態となっているが、これに限らず、ピン孔９０１ｂ等の操作用孔部が通常時は閉じられ、使用時には開けられる構成を採用し防御性能を高めてもよい。
【０１４０】
例えば、図２４に示すように、ピン孔９０１ｂを塞ぐ蓋部９２０を取付溝部９０１の奥壁部９０１ａに対し取外し不能に組付けた構成を採用してもよい。
【０１４１】
より詳しくは、蓋部９２０の前面側には、上下２箇所ずつに係止爪９２０ａが突出形成されている。これに対応して、奥壁部９０１ａには係止孔９０１ｃが４つ形成されている。そして、当該係止爪９２０ａを奥壁部９０１ａ前面側に係止することにより、当該蓋部９２０が組付けられる。蓋部９２０が奥壁部９０１ａに組付けられた状態では、係止爪９２０ａが奥壁部９０１ａ前面側に位置するため、内枠１２の背面側から係止解除操作を行うことができなくなる。また、内枠１２の前面側では施錠装置６００の基枠６０１により取付溝部９０１が塞がれた状態となっているため、施錠装置６００を取外す等しない限り、内枠１２の前面側からも係止解除操作することはできない。つまり、蓋部９２０は、破壊等しない限り、取外せない状態となる。
【０１４２】
一方、キーコードを変更しなくてはならない状況となった場合には、マイナスドライバー等の工具を蓋部９２０と奥壁部９０１ａとの間に挿し込み、蓋部９２０（係止爪９２０ａ）を破壊する等して取外してピン孔９０１ｂを開放させることにより、当該ピン孔９０１ｂを介してシリンダ錠７００のリセットピン７０３を操作することができる。なお、蓋部９２０を破壊する等して使用した場合でも、当該使用済みの蓋部９２０のみを、未使用の新たな蓋部９２０に取り替えるだけで元の状態に戻すことができる。
【０１４３】
また、図２５に示すように、シリンダ錠７００のリセットピン７０３の位置に対応して、取付溝部９０１の奥壁部９０１ａの一部に切離し可能な蓋部９０３を備えることにより、当該奥壁部９０１ａにリセットピン７０３を操作するための操作用孔部が形成される構成としてもよい。
【０１４４】
より詳しくは、奥壁部９０１ａには、略矩形状の範囲を囲むようにミシン目状に複数のスリット９０１ｄが間欠的に設けられている。これにより、スリット９０１ｄにより囲まれた部位が蓋部９０３として画定されている。そして、キーコードを変更する場合には、カッター等の工具によりスリット９０１ｄに沿って蓋部９０３の周囲を切断することにより当該蓋部９０３を奥壁部９０１ａの本体部から切離す。こうすることで、奥壁部９０１ａには操作用孔部が形成され、当該操作用孔部を介して、リセットピン７０３を操作することができるようになる。
【０１４５】
スリット９０１ｄに代えて、蓋部９０３の全周囲に薄肉部を設けることにより、奥壁部９０１ａから切断可能となる構成としてもよい。このようにすれば、通常時には、線材等が進入する隙間が形成されないため、防御性能を高めることができる。
【０１４６】
蓋部９０３が切離されると、奥壁部９０１ａにはその痕跡が残る。そのため、万が一、蓋部９０３を開けて不正行為が行われた場合には、それを確認することで不正行為を早期発見できる。従って、不正行為の直接的な防止はもとより、不正行為を早期発見できるという側面からも不正行為の抑止を図ることができる。
【０１４７】
勿論、リセットピン７０３、ピン孔９０１ｂ、蓋部９２０、蓋部９０３などの形成位置、大きさ、範囲、形状、素材、組付構造などは、上記構成に限定されるものではなく、適宜、変更可能である。
【０１４８】
また、錠部材は、シリンダ錠に限定されるものではなく、この他、電子キーのような鍵を用いて操作されるものであってもよい。かかる場合、適合する鍵の変更は、鍵穴７０２の形状変更など物理的なものではなく、リセットピン７０３等の操作に基づく電気的又は磁気的方法による情報の書換え等により行われることとなる。
【０１４９】
（ｄ）上記実施形態では、施錠装置６００を内枠１２の前面側からネジにより固定する構造となっている。これに限らず、例えば施錠装置６００の基枠６０１に係止爪等を形成し、当該係止爪等により施錠装置６００が取付溝部９０１に固定される構成としてもよい。また、施錠装置６００を内枠１２の前面側から取付溝部９０１に嵌め込んだ状態で、内枠１２の背面側よりネジにより固定する構成としてもよい。
【０１５０】
（ｅ）上記実施形態では、施錠装置６００の外郭を構成する基枠６０１が、内枠１２に固定される取付板６０２と、当該取付板６０２の内枠１２内方側の端縁から後方に突出した支持板６０３と、支持板６０３の後端縁から内枠１２外方側に突出したフランジ部６０４とからなり、横断面略コ字状をなしている。しかしながら、基枠６０１の形状はこれに限定されるものではない。例えばフランジ部６０４を省略し、横断面略Ｌ字状となる構成としてもよい。
【０１５１】
（ｆ）上記実施形態では、施錠装置６００に対応する上下区間全域を内枠１２の背面側から覆う延出壁部８３が外枠１１に形成されている。これに限らず、延出壁部８３を省略した構成としてもよいし、内鉤部８４，８５やピン孔９０１ｂに対応する部分においてのみ延出壁部８３が形成された構成としてもよい。
【０１５２】
（ｇ）上記実施形態とは異なるタイプのパチンコ機として実施してもよい。また、パチンコ機以外にも、アレンジボール機、それに類する雀球等の各種遊技機などとして実施してもよい。
【０１５３】
以下、特許請求の範囲の請求項に記載されないものであって、上記実施形態から把握できる技術的思想について、その効果とともに記載する。
【０１５４】
手段１．支持体に対し開閉可能に支持された第１扉体と、
前記第１扉体の前面側にて当該第１扉体に対し開閉可能に支持された第２扉体と、
前記支持体に対し前記第１扉体を施錠しかつ前記第１扉体に対し前記第２扉体を施錠するための施錠装置とを備えた遊技機であって、
前記施錠装置は、
前記第２扉体の閉状態において当該第２扉体と前記第１扉体との間に形成される収容空間に配置されるとともに、
前記第１扉体に固定される基枠部材と、
前記基枠部材に固定されるとともに、前記第２扉体の閉状態において当該第２扉体の前面から所定の鍵により操作可能な錠部材と、
前記支持体に固定された第１鉤部と係合可能な第１鉤受部が前記基枠部材に対して相対変位可能に設けられ、前記第１扉体に形成された挿通孔を介して前記収容空間内へ進入した前記第１鉤部が前記第１鉤受部に係合して前記第１扉体の開放を規制する施錠状態から、前記第１鉤部が前記第１鉤受部から係合解除され前記第１扉体の開放を許容する解錠状態へ、少なくとも前記鍵による第１操作に応じた前記錠部材の動作に連動して切換わる第１施錠機構と、
前記第２扉体に固定された第２鉤部と係合可能な第２鉤受部が前記基枠部材に対して相対変位可能に設けられ、前記第２鉤部が前記第２鉤受部に係合して前記第２扉体の開放を規制する施錠状態から、前記第２鉤部が前記第２鉤受部から係合解除され前記第２扉体の開放を許容する解錠状態へ、少なくとも前記鍵による第２操作に応じた前記錠部材の動作に連動して切換わる第２施錠機構とを備え、
前記錠部材は、適合する鍵を変更するための操作部を備え、
前記施錠装置が前記第１扉体に固定された状態で、前記錠部材の操作部を操作可能としたことを特徴とする遊技機。
【０１５５】
上記手段１によれば、施錠装置が、第１扉体と第２扉体との間に形成される収容空間に配置される。さらに、第１扉体の施錠に際しては、支持体に設けられた第１鉤部が第１扉体に形成された挿通孔を介して収容空間内へ進入し第１鉤受部に係合する構成となっている。つまり、第１扉体の背面側に鉤部等が突出しない構成となっている。このため、仮に支持体の背面側や、第１扉体と支持体との隙間から針金等の線材を差込み、第１扉体を不正に解錠する不正行為を行おうとした場合でも、線材を引っ掛けることのできる鉤部等の突出した部位がなく、前記不正行為を行うことは極めて困難となる。結果として、線材等を用いた不正解錠に対する防御性能を高めることができる。
【０１５６】
さらに、施錠装置が第１扉体に固定された状態で、適合する鍵を変更するための操作部（例えば、シリンダ錠のキーコード変更用のリセットピン）が操作可能となっている。これにより、操作部を操作するために、わざわざ施錠装置を第１扉体から取外すといった手間をかけずに済む。
【０１５７】
結果として、不正解錠に対する防御性能の向上を図りつつも、利便性の向上をも両立して図ることができる。
【０１５８】
なお、鉤部及び鉤受部の「係合」とは、扉体を開方向に動かした場合に、鉤部及び鉤受部が接触して両者が係り合う位置関係にある状態をいう。つまり、扉体の施錠状態において、鉤部及び鉤受部が若干の遊びを有して非接触状態となっている場合でも、扉体を開方向に動かした場合に、鉤部及び鉤受部が接触して両者が係り合う位置関係にあれば、上記「係合」に含まれる。逆に、「係合解除」とは、扉体を開方向に動かした場合に、鉤部及び鉤受部が接触しない位置関係、又は接触しつつも扉体を開放可能な位置関係にある状態をいう。
【０１５９】
また、鉤受部などの所定部材が「変位」することには、上下方向などの直線的な位置変化に限らず、例えば回動可能に軸支された所定部材が回動し、その姿勢が変化して、係合部等の所定部位の位置だけが変化することなども含まれる。従って、所定部材の「変位」とあるのを、所定部材の「動作」との表現に置き換えることも可能である。
【０１６０】
また、錠部材の例としては、鍵が挿入されて回動操作されるシリンダ錠などが挙げられる。この場合、鍵により操作される作動部は、回動可能に設けられた錠軸や、当該錠軸に固定されたカム板等から構成されることとなる。かかる場合、第１操作及び第２操作としては、一方への回動操作、及び、他方への回動操作が挙げられる。
【０１６１】
また、上記手段では、施錠装置が、第１扉体と第２扉体との間に形成される収容空間に配置されるとともに、第２扉体の閉状態において当該第２扉体の前面から所定の鍵により操作可能な構成となっているが、これは例えば、第２扉体の閉状態において、少なくとも錠部材の鍵穴が、第２扉体に形成される錠孔や切欠き部を介して、遊技機前面側（第２扉体の前面側）に露出する構成となっていることを意味する。
【０１６２】
また、各種鉤部及びこれと係合する各種鉤受部の数は１組に限定されるものではなく、それぞれ複数組備えた構成としてもよい。
【０１６３】
手段２．前記操作部は、前記錠部材（の固定部）の背面側に設けられ、
前記第１扉体にて前記施錠装置が収容される収容部の背壁部には、前記操作部に対応する位置において、当該操作部を操作するための操作用孔部が形成されていることを特徴とする手段１に記載の遊技機。
【０１６４】
上記手段２によれば、施錠装置が第１扉体に固定された状態のまま、第１扉体の背面側から操作用孔部を介して錠部材の操作部を操作することができる。
【０１６５】
手段３．前記操作用孔部を塞ぐ蓋部を、前記収容部の背壁部に対し取外し不能に組付けたことを特徴とする手段２に記載の遊技機。
【０１６６】
上記手段３によれば、操作用孔部を塞ぐ蓋部を備えることにより、通常時において、不正解錠に対する十分な防御性能を確保することができる。なお、蓋部が「取外し不能」とあるのは、当該蓋部を破壊等しない限り、取外すことができない又は極めて困難であるといった意味である。例えば、蓋部に設けた係止片を第１扉体の収容部の背壁部前面側に係止することにより、当該蓋部が組付けられる構成が一例に挙げられる。かかる構成では、蓋部が収容部の背壁部に組付けられた状態で、係止片が背壁部前面側に位置するため、第１扉体の背面側から係止解除操作を行うことができなくなる。また、収容部の前面側が施錠装置の基枠により覆われる構成では、施錠装置を取外す等しない限り、第１扉体の前面側からも係止解除操作することはできなくなる。
【０１６７】
一方、錠部材の交換時など正当な理由から、適合する鍵を変更しなくてはならない状況となった場合には、蓋部を破壊する等して取外して操作用孔部を開放させることにより、当該操作用孔部を介して錠部材の操作部を操作することができる。なお、蓋部を破壊する等して使用した場合でも、当該使用済みの蓋部のみを、未使用の新たな蓋部に取り替えるだけで元の状態に戻すことができる。従って、第１扉体全体を交換する必要がなく、リサイクル性に優れる。
【０１６８】
手段４．前記操作部は、前記錠部材（の固定部）の背面側に設けられ、
前記第１扉体にて前記施錠装置が収容される収容部の背壁部には、前記操作部に対応する位置において、当該背壁部の一部に切離し又は切開き可能な蓋部を備えることにより、当該背壁部に前記操作部を操作するための操作用孔部を形成可能としたことを特徴とする手段１に記載の遊技機。
【０１６９】
上記手段４によれば、適合する鍵を変更しなくてはならない状況となった場合には、背壁部の蓋部を切離し又は切開き、そこに形成された操作用孔部を介して、その作業を行うことができる。結果として、通常時における不正解錠に対する十分な防御性能を確保することができる。
【０１７０】
加えて、蓋部が切離し等されると、第１扉体の収容部の背壁部にはその痕跡が残る。そのため、万が一、蓋部を開けて不正行為が行われた場合には、それを確認することで不正行為を早期発見できる。従って、不正行為の直接的な防止はもとより、不正行為を早期発見できるという側面からも不正行為の抑止を図ることができる。
【０１７１】
また、上記「切離し」とは、第１扉体の収容部の背壁部から蓋部が取り除かれること（切除）を意味し、「切開き」とは、蓋部の一部が第１扉体の収容部の背壁部と連結された状態のまま開口部が形成されることを意味している。
【０１７２】
手段５．前記支持体における前記第１鉤部より後方位置において、少なくとも前記施錠装置に対応する上下区間全域を前記第１扉体の背面側から覆う遮蔽部材を備えていることを特徴とする手段１乃至４のいずれかに記載の遊技機。
【０１７３】
上記手段５によれば、支持体の背面側から線材等を進入させ、当該線材等により第１施錠機構を操作することがさらに困難となる。結果として、さらなる防御性能の向上を図ることができる。上記遮蔽部材は、少なくとも施錠装置に対応する上下区間全域を第１扉体の背面側から覆うように設けられているため、第１鉤部の周辺のみを部分的に覆う遮蔽部材に比べて、より高い防御性能を得ることができる。
【０１７４】
また、第１扉体の収容部の背壁部に、錠部材の操作部を操作するための操作用孔部が開口した状態のままであっても、遮蔽部材があることにより、当該操作用孔部を介して線材等を進入させ、第１施錠機構を操作するといった不正行為を行うことは困難となる。
【０１７５】
手段６．前記操作部は、前記錠部材（の固定部）の前面側に設けられていることを特徴とする手段１に記載の遊技機。
【０１７６】
上記手段６によれば、第２扉体を開放すれば、施錠装置が第１扉体に固定された状態のままでも、第１扉体の前面側から錠部材の操作部を操作することができる。
【０１７７】
手段７．前記第１扉体と当該第１扉体に固定された前記基枠部材との間に形成される内部空間に、前記第１施錠機構及び前記第２施錠機構が配設され、
前記基枠部材に形成された挿通孔を介して前記内部空間内へ進入した前記第２鉤部が前記第２鉤受部に係合可能となることを特徴とする手段１乃至６のいずれかに記載の遊技機。
【０１７８】
上記手段７によれば、第１扉体と基枠部材との間に形成される内部空間に、第１施錠機構及び第２施錠機構が配置される。そして、第２扉体の施錠に際しては、当該第２扉体に設けられた第２鉤部が基枠部材に形成された挿通孔を介して空間内へ進入し第２鉤受部に係合する構成となっている。つまり、基枠部材から前面側に鉤部等が突出しない構成となっている。このため、仮に第１扉体と第２扉体との隙間から針金等の線材を差込み、第２扉体を不正に解錠する不正行為を行おうとした場合でも、線材を引っ掛けることのできる鉤部等の突出した部位が少なく、前記不正行為を行うことは極めて困難となる。結果として、線材等を用いた不正解錠に対する防御性能をさらに高めることができる。
【０１７９】
以下に、上記各手段が適用される各種遊技機の基本構成を示す。
【０１８０】
Ａ．上記各手段における前記遊技機は弾球遊技機であること。より詳しい態様例としては、「遊技者が操作する操作手段（遊技球発射ハンドル）と、当該操作手段の操作に基づいて遊技球を弾いて発射する発射手段（発射モータ等）と、当該発射された遊技球が案内される遊技領域と、前記遊技領域内に配置された各入球手段（一般入賞口、可変入賞装置、作動口等）とを備えた弾球遊技機」が挙げられる。
【０１８１】
Ｂ．上記各手段における前記遊技機は略鉛直方向に延びる遊技領域を備えた弾球遊技機であること。より詳しい態様例としては、「遊技者が操作する操作手段（遊技球発射ハンドル）と、当該操作手段の操作に基づいて遊技球を弾いて発射する発射手段（発射モータ等）と、当該発射された遊技球が案内され、略鉛直方向に沿って延びる所定の遊技領域（例えば遊技領域は遊技盤面等により構成される）と、前記遊技領域内に配置された各入球手段（一般入賞口、可変入賞装置、作動口等）とを備え、前記遊技領域を流下する遊技球の挙動を視認可能に構成されてなる弾球遊技機」が挙げられる。
【０１８２】
Ｃ．上記各手段における前記遊技機、又は、上記各弾球遊技機は、パチンコ機又はパチンコ機に準ずる遊技機であること。
【符号の説明】
【０１８３】
１０…パチンコ機、１１…外枠、１２…内枠、１４…前面枠、８３…延出壁部、８４，８５…内鉤部、９１，９２，９３…前鉤部、６００…施錠装置、６０１…基枠、６０７…第１摺動杆、６０９，６１０…内鉤受部、６２７…第２摺動杆、６２８，６２９，６３０…前鉤受部、６３１，６３２，６３３…挿通孔、７００…シリンダ錠、７００ａ…固定部、７０２…鍵穴、７０３…リセットピン、９０１…取付溝部、９０１ａ…奥壁部、９０１ｂ…ピン孔、９０８，９０９…挿通孔、９０８ａ，９０９ａ…リブ。
【図１】
2010213811.tif 000003
【図２】
2010213811.tif 000004
【図３】
2010213811.tif 000005
【図４】
2010213811.tif 000006
【図５】
2010213811.tif 000007
【図６】
2010213811.tif 000008
【図７】
2010213811.tif 000009
【図８】
2010213811.tif 000010
【図９】
2010213811.tif 000011
【図１０】
2010213811.tif 000012
【図１１】
2010213811.tif 000013
【図１２】
2010213811.tif 000014
【図１３】
2010213811.tif 000015
【図１４】
2010213811.tif 000016
【図１５】
2010213811.tif 000017
【図１６】
2010213811.tif 000018
【図１７】
2010213811.tif 000019
【図１８】
2010213811.tif 000020
【図１９】
2010213811.tif 000021
【図２０】
2010213811.tif 000022
【図２１】
2010213811.tif 000023
【図２２】
2010213811.tif 000024
【図２３】
2010213811.tif 000025
【図２４】
2010213811.tif 000026
【図２５】
2010213811.tif 000027